(57)【要約】【課題】洗濯水を洗濯物に噴射することによって、洗濯性能を改善する洗濯機及び洗濯方法を実現する。【解決手段】本発明は、洗濯水を洗濯物に噴射することによって、洗濯性能を改善する洗濯機及び洗濯方法を提供する。本発明に係る洗濯機は、オープニングを持つキャビネット、洗濯物を収容するドラム、及びキャビネットの内部に配置されて洗濯水をドラムに噴射するスプレーノズルを備える。【選択図】図１
2012517854.tif 000002
【特許請求の範囲】
【請求項１】
オープニングを持つキャビネットと、
洗濯物を収容するドラムと、
前記キャビネットの内部に配置されて前記ドラムに洗濯水を噴射するスプレーノズルと、
を含むことを特徴とする、洗濯機。
【請求項２】
前記スプレーノズルは複数で提供されることを特徴とする、請求項１に記載の洗濯機。
【請求項３】
前記スプレーノズルは洗濯水を洗濯物に噴射することを特徴とする、請求項１に記載の洗濯機。
【請求項４】
前記洗濯機は、タブの洗濯水を循環させる循環ポンプをさらに含むことを特徴とする、請求項１に記載の洗濯機。
【請求項５】
前記洗濯機はオープニングに結合されたガスケットをさらに含み、
前記スプレーノズルは前記ガスケットの一方に結合されることを特徴とする、請求項１に記載の洗濯機。
【請求項６】
前記スプレーノズルは、前記ガスケットの下側に配置されることを特徴とする、請求項５に記載の洗濯機。
【請求項７】
前記スプレーノズルは複数で提供され、
複数の前記スプレーノズルは、
前記ガスケットに配置されて洗濯水を一方向に噴射する第１スプレーノズルと、
前記ガスケットに配置されて洗濯水を他方向に噴射する第２スプレーノズルと、
を含むことを特徴とする、請求項５に記載の洗濯機。
【請求項８】
前記第１スプレーノズル及び前記第２スプレーノズルは予め決まった角度を形成するようにガスケットに配置されることを特徴とする、請求項７に記載の洗濯機。
【請求項９】
前記スプレーノズルは、洗濯物の洗濯サイクルが遂行される時、洗濯水を噴射することを特徴とする、請求項１に記載の洗濯機。
【請求項１０】
前記スプレーノズルは、洗濯物の洗浄サイクルが遂行される時、洗濯水を噴射することを特徴とする、請求項１に記載の洗濯機。
【請求項１１】
オープニングを持つキャビネットと、
洗濯物を収容するドラムと、
前記キャビネットの内部に配置されて前記ドラムに洗濯水を噴射するスプレーノズルと、
前記スプレーノズルから前記ドラムに噴射された洗濯水の方向を変更する方向変更部と、
を含むことを特徴とする、洗濯機。
【請求項１２】
前記方向変更部は、前記ドラムの回転に従って前記ドラムに洗濯水を噴射する方向を変更することを特徴とする、請求項１１に記載の洗濯機。
【請求項１３】
前記方向変更部は、前記ドラムの回転により回転する洗濯物に洗濯水を噴射するように前記ドラムに洗濯水を噴射する方向を変更することを特徴とする、請求項１１に記載の洗濯機。
【請求項１４】
前記方向変更部は、前記スプレーノズルの一方に配置されたスタート−アップモータを含むことを特徴とする、請求項１１に記載の洗濯機。
【請求項１５】
前記方向変更部は、
洗濯水を前記ドラムに案内する供給経路と、
前記供給経路に配置されて洗濯水の水圧を変更する水圧変更部と、
前記水圧変更部と前記スプレーノズルとの間に配置されて前記供給経路を通じて流れる洗濯水が前記ドラムに噴射される噴射方向を変更する方向チェンジャーと、
を含むことを特徴とする、請求項１１に記載の洗濯機。
【請求項１６】
前記水圧変更部は、外部から供給される洗濯水を制御する洗濯水供給装置であることを特徴とする、請求項１５に記載の洗濯機。
【請求項１７】
前記水圧変更部は、前記キャビネットの内の洗濯水を前記ドラムに循環させる循環ポンプであることを特徴とする、請求項１５に記載の洗濯機。
【請求項１８】
前記スプレーノズルは複数で提供され、
前記方向チェンジャーは、
前記ドラムに噴射される洗濯水の噴射方向を変更するように複数の前記スプレーノズルに洗濯水を分配するディスペンサーと、
前記ディスペンサーから分配される洗濯水を前記スプレーノズルの各々に案内するガイド通路と、
を含むことを特徴とする、請求項１１に記載の洗濯機。
【請求項１９】
前記ディスペンサーは、
洗濯水を導入する胴体部分と、
前記胴体部分の内部に配置されて複数の前記ガイド通路を選択的に開閉するスイッチ部と、
を含むことを特徴とする、請求項１８に記載の洗濯機。
【請求項２０】
前記スイッチ部は、水圧変更部から放出される洗濯水の水圧によって複数の前記ガイド通路を選択的に開閉することを特徴とする、請求項１９に記載の洗濯機。
【請求項２１】
前記ディスペンサーは、前記スイッチ部の位置を検出する位置検出部をさらに含むことを特徴とする、請求項１９に記載の洗濯機。
【請求項２２】
前記位置検出部は、
前記スイッチ部に配置されて外部から信号を発生する信号発生器と、
前記胴体部分の一方に配置されて前記信号発生器から発生する信号を検出する信号検出器と、
を含むことを特徴とする、請求項２１に記載の洗濯機。
【請求項２３】
前記信号検出部は、複数の前記ガイド通路のうちの少なくとも１つに配置されることを特徴とする、請求項２２に記載の洗濯機。
【請求項２４】
前記水圧変更部は、前記位置検出部により検出された前記スイッチ部の位置に従って作動することを特徴とする、請求項２１に記載の洗濯機。
【請求項２５】
前記スプレーノズルは複数で提供され、
複数の前記スプレーノズルは、
一方向に洗濯水を噴射する第１スプレーノズルと、
前記第１スプレーノズルと異なる方向に洗濯水を噴射する第２スプレーノズルと、
を含むことを特徴とする、請求項１１に記載の洗濯機。
【請求項２６】
前記方向チェンジャーは、前記ドラムの回転に対応するように、前記第１スプレーノズル及び前記第２スプレーノズルのうちの少なくとも１つに洗濯水を分配することを特徴とする、請求項２５に記載の洗濯機。
【請求項２７】
前記第１スプレーノズル及び前記第２スプレーノズルは、前記オープニングの一方に配置されることを特徴とする、請求項２５に記載の洗濯機。
【請求項２８】
前記洗濯機は、前記オープニングに結合されたガスケットをさらに含み、
前記第１スプレーノズル及び前記第２スプレーノズルは、前記ガスケットの一方に結合されることを特徴とする、請求項２５に記載の洗濯機。
【請求項２９】
前記第１スプレーノズル及び前記第２スプレーノズルは、予め決まった角度を形成することを特徴とする、請求項２５に記載の洗濯機。
【請求項３０】
前記スプレーノズルにより噴射される洗濯水の噴射方向を表示する表示部をさらに含むことを特徴とする、請求項１１に記載の洗濯機。
【請求項３１】
前記表示部はドラムの移動に従って洗濯水の噴射方向を表示することを特徴とする、請求項３０に記載の洗濯機。
【請求項３２】
ドラムを回転させる第１ステップと、
前記ドラムの回転方向によって洗濯水噴射方向を変更する第２ステップと、を含むことを特徴とする、洗濯方法。
【請求項３３】
前記第２ステップで、前記洗濯水をドラムに噴射する方向は前記ドラムに収容された洗濯物の位置であることを特徴とする、請求項３２に記載の洗濯方法。
【請求項３４】
前記第１ステップで、前記ドラムの回転は検出されることを特徴とする、請求項３２に記載の洗濯方法。
【請求項３５】
前記第２ステップで、前記洗濯水噴射方向は前記第１ステップで検出された前記ドラムの回転方向によって変更されることを特徴とする、請求項３４に記載の洗濯方法。
【請求項３６】
前記第２ステップで、前記洗濯水は複数のスプレーノズルを介して噴射されることを特徴とする、請求項３２に記載の洗濯方法。
【請求項３７】
前記複数のスプレーノズルは、
洗濯水を一方向に噴射する第１スプレーノズルと、
前記第１スプレーノズルと異なる方向に洗濯水を噴射する第２スプレーノズルと、
を含むことを特徴とする、請求項３６に記載の洗濯方法。
【発明の詳細な説明】
【技術分野】
【０００１】
本発明は洗濯機及び洗濯方法に関し、特に、ドラム内で洗濯水を噴射する洗濯機及び洗濯方法に関する。
【背景技術】
【０００２】
一般に、洗濯機は洗濯物を洗濯または乾燥する装置である。このような洗濯機は洗濯物を処理して使用者に便宜を提供する。特に、このような洗濯機は洗濯物を洗濯する時、洗濯水を効果的に利用して洗濯物を取扱う。
【発明の概要】
【発明が解決しようとする課題】
【０００３】
本発明の目的は、洗濯水を洗濯物に噴射することによって、洗濯性能を改善する洗濯機及び洗濯方法を提供することにある。
【０００４】
本発明は、オープニングを持つキャビネット、洗濯物を収容するドラム、及びキャビネットの内側に配置されて洗濯水をドラムに噴射するスプレーノズルを具備する洗濯機を提供する。
【図面の簡単な説明】
【０００５】
【図１】本発明の一例示的な実施形態に係る洗濯機を示す斜視図である。
【図２】図１のラインII−IIを切欠した横断面図である。
【図３】図１に図示された洗濯機の洗濯水の循環及び噴射を示す概念図である。
【図４Ａ】図３に図示されたドラムの時計回りの回転に従う洗濯水の噴射方向を示す概念図である。
【図４Ｂ】図３に図示されたドラムの反時計回りの回転に従う洗濯水の噴射方向を示す概念図である。
【図５】図３に図示された方向変更部の一例示的な実施形態を示す斜視図である。
【図６】図５に図示されたディスペンサーの一例示的な実施形態を示す斜視図である。
【図７】図６のラインVII −VII を切欠した横断面図である。
【図８】図１に図示された洗濯機の制御流れを示すブロック図である。
【図９】図１に図示された洗濯機の制御順序の一例示的な実施形態を示す斜視図である。
【図１０】図１に図示された洗濯機の洗濯水が循環及び噴射される第２実施形態を示す概念図である。
【図１１Ａ】図１０に図示されたドラムの時計回りの回転に従う洗濯水の噴射方向を示す概念図である。
【図１１Ｂ】図１０に図示されたドラムの反時計回りの回転に従う洗濯水の噴射方向を示す概念図である。
【図１２】図１０に図示された方向変更部を示す斜視図である。
【図１３】図１に図示された洗濯機の洗濯水が循環及び噴射される第３実施形態を示す概念図である。
【図１４Ａ】図１３に図示されたドラムの時計回りの回転に従う洗濯水の噴射方向を示す概念図である。
【図１４Ｂ】図１３に図示されたドラムの反時計回りの回転に従う洗濯水の噴射方向を示す概念図である。
【図１５】図１３に図示された方向変更部を示す斜視図である。
【図１６】図１に図示された洗濯機の洗濯水が循環及び噴射される第４実施形態を示す概念図である。
【図１７Ａ】図１６に図示されたドラムの時計回りの回転に従う洗濯水の噴射方向を示す概念図である。
【図１７Ｂ】図１６に図示されたドラムの反時計回りの回転に従う洗濯水の噴射方向を示す概念図である。
【図１８】図１６に図示された方向変更部を示す斜視図である。
【図１９】図１に図示された表示部の一例示的な実施形態を示す斜視図である。
【発明を実施するための形態】
【０００６】
以下、洗濯機１００の洗濯物処理動作について説明の便宜のために洗濯物洗濯サイクルに基づいて説明する。しかしながら、本発明に係る洗濯機１００は次の説明に限定されないが、洗濯機１００の洗濯物処理動作における洗濯水が洗濯物に噴射及び吸水される全ての場合を含むことができる。例えば、本発明は洗濯物を洗濯するサイクルだけでなく、如何なる洗剤も含まない洗濯水で洗濯物を洗浄するサイクル、洗濯物乾燥のためのサイクル、及び乾燥した空気で洗濯物を乾燥するためのサイクルなどの全てのサイクルに適用できる。
【０００７】
図１は、本発明の一例示的な実施形態に係る洗濯機１００を示す斜視図である。図２は、図１のラインII−IIを切欠した横断面図である。
【０００８】
図１及び図２を参照すると、洗濯機１００はオープニングを持つキャビネット１１０、キャビネット１１０の内部に配置されて外部から供給される洗濯水を貯蔵するタブ１２１、タブ１２１の内部に配置されて洗濯物を収容するドラム１２２、駆動力をドラム１２２に供給するための駆動部１３０、キャビネット１１０の外部から洗濯水を供給する洗濯水供給装置（図示せず）、及びドラム１２２の内の洗濯水を外部に放出するための排水装置（図示せず）を含む。
【０００９】
洗濯機１００は外部の使用者に情報を知らせるための出力部（図示せず）を含むことができる。出力部は外部の使用者に音声情報を知らせるための音声出力部、及び外部の使用者に画像情報を知らせるための表示部１１７を含むことができる。
【００１０】
キャビネット１１０は、キャビネット主胴体１１１、キャビネット主胴体１１１の前面に配置され、オープニング部分を持つカバー１１２、カバー１１２の上側に配置されてキャビネット主胴体１１１に結合された上板１１５、及び上板１１５の一側面に配置されてキャビネット主胴体１１１に結合された制御パネル１１６を含む。
【００１１】
また、カバー１１２に回転可能に結合されたドア１１３は、カバー１１２に配置されてオープニング部分を開閉することができる。また、カバー１１２の一側面に結合され、タブ１２１の他側面に結合及び固定されたガスケット１１９はオープニング部分に配置される。ガスケット１１９は、ドラム１２２の内から濡れた洗濯物を取り出す時、洗濯水がタブに流れることを防止することができる。
【００１２】
また、洗濯機１００はキャビネットの内部に配置されてドラム１２２に洗濯水を噴射するスプレーノズル１９０、及びスプレーノズルからドラムに噴射される洗濯水の噴射方向を変更する方向変更部１８０を含む。
【００１３】
スプレーノズル１９０は複数で提供できる。複数のスプレーノズル１９０はガスケット１１９に配置されて一方向に洗濯水を噴射する第１スプレーノズル１９１と、ガスケット１１９に配置されて第１スプレーノズル１９１の方向と異なる方向に洗濯水を噴射する第２スプレーノズル１９２とを含む。第１スプレーノズル１９１及び第２スプレーノズル１９２は、予め決まった角度に形成されて互いに異なる方向に洗濯水を噴射することができる。
【００１４】
次に、洗濯水をドラム１２２に噴射する方法と前述した装置について説明する。
【００１５】
図３は、図１に図示された洗濯機１００の洗濯水の循環及び噴射を示す概念図である。図４は、図３に図示されたドラム１２２の噴射方向及び洗濯水の噴射方向を示す概念図である。
【００１６】
図３及び図４を参照すると、使用者は、洗濯機１００を動作する以前に洗濯物をドラム１２２に入れる。使用者が洗濯機１００を動作させる時、洗濯水は外部から導入される。洗濯水が導入される時、洗濯水はドラム１２２及びタブ１２１に導入されて内部に貯蔵される。
【００１７】
洗濯水が導入されるにつれてドラム１２２は回転する。ドラム１２２の回転は多様な形態で実行できる。即ち、ドラム１２２は洗濯水の導入と同時に回転することができる。また、ドラム１２２は導入される洗濯水が予め決まった水位に到達する時に回転することもできる。次に、洗濯水が予め決まった水位に到達する時、ドラム１２２が回転する場合について説明する。本発明に係る洗濯機１００は前述した場合に限定されず、ドラム１２２は多様な方法により動作できる。
【００１８】
ドラム１２２が回転する時、ドラム１２２に収容された洗濯物はドラム１２２と共に回転する。この際、水圧変更部（図示せず）はタブ１２１に貯蔵された洗濯水を循環させるために作動する。水圧変更部は、タブ１２１の洗濯水を循環させるための循環ポンプ１８５を含むことができる。
【００１９】
循環ポンプ１８５が動作する時、洗濯水は供給経路１８１を通じて流れる。供給経路１８１はタブ１２１に貯蔵された洗濯水を一側面がタブ１２１に結合された循環ポンプ１８５に案内する。
【００２０】
循環ポンプ１８５は供給経路１８１に配置されて前述したように洗濯水を供給経路１８１に流れるようにする。供給経路１８１を通じて流れる洗濯水は方向チェンジャー１８６により分配される。
【００２１】
方向チェンジャー１８６により分配された洗濯水は複数のスプレーノズル１９０に洗濯水を案内する複数のガイド通路１８３及び１８４に供給される。
【００２２】
複数のスプレーノズル１９０に流れる洗濯水は循環ポンプ１８１の動作によりドラムの回転方向によってドラム１２２に噴射される。また、ドラム１２２に噴射される洗濯水の噴射方向はドラム１２２の回転方向によって変更される。
【００２３】
図４Ａを参照すると、ドラム１２２が時計回りに回転する時、洗濯水は第１スプレーノズル１９１から噴射される。
【００２４】
図４Ｂを参照すると、ドラム１２２が反時計回りに回転する時、洗濯水は第２スプレーノズル１９２から噴射される。
【００２５】
以下、洗濯水を噴射する方法及び装置について詳細に説明する。
【００２６】
図５は、図３に図示された方向変更部の一例示的な実施形態を示す斜視図である。図６は、図５に図示されたディスペンサー１８２の一例示的な実施形態を示す斜視図である。図７は、図６のラインVII −VII を切欠した横断面図である。
【００２７】
図５乃至図７を参照すると、方向変更部１８０は、タブ１２１から洗濯水を案内するための供給経路１８１、供給経路１８１に配置されて洗濯水の水圧を変更する水圧変更部（図示せず）、及び水圧変更部と複数のスプレーノズル１９０との間に配置されて供給経路１８１を通じて流れる洗濯水がドラム１２２に噴射される噴射方向を変更する方向チェンジャー１８６を含む。一方、水圧変更部は、循環ポンプ１８５を含むことができる。
【００２８】
本発明に係る水圧変更部は循環ポンプ１８５に限定されない。水圧変更部は、循環ポンプ１８５のように、供給経路１８１に流れる洗濯水の水圧を制御することができる全ての装置を含むことができる。説明の便宜のために、次は水圧変更部が循環ポンプ１８５である場合について説明する。
【００２９】
スプレーノズル１９０は複数で提供できる。複数のスプレーノズル１９０は、一方向に洗濯水を噴射する第１スプレーノズル１９１と、第１スプレーノズル１９１の方向と異なる方向に洗濯水を噴射する第２スプレーノズル１９２を含む。
【００３０】
方向チェンジャー１８６はドラム１２２に噴射される洗濯水の噴射方向を変更させるために、複数のスプレーノズル１９０に洗濯水を分配するディスペンサー１８２を含む。方向チェンジャー１８６は、ディスペンサー１８２から分配された洗濯水を複数のスプレーノズル１９０に案内する複数のガイド通路１８３及び１８４を含む。
【００３１】
また、ディスペンサー１８２は洗濯水を導入するための胴体部分１８２ｃ、及び胴体部分１８２ｃの内部に配置されて複数のガイド通路１８３及び１８４を選択的に開閉するスイッチ部１８２ｂを含む。
【００３２】
複数のガイド通路１８３及び１８４は、第１スプレーノズル１９１に結合された第１ガイド通路１８３、及び第１ガイド通路の一側面に配置されて第２スプレーノズル１９２に結合された第２ガイド通路１８４を含む。
【００３３】
ディスペンサー１８２は、スイッチ部１８２ｂの位置を検出する位置検出部１８８を含む。位置検出部１８８は、スイッチ部１８２ｂに配置されて外部に信号を発生する信号発生器１８８ａ、及び胴体部分１８２ｃの一側面に配置されて信号発生器１８８ａから発生した信号を検出する信号検出器１８８ｂを含む。
【００３４】
信号発生器１８８ａは外部に磁界を印加する磁石を含むことができる。また、信号検出器１８８ｂは磁界を検出し、スイッチ部１８２ｂの位置を検出する磁界検出器を含むことができる。
【００３５】
位置検出部１８８は前述したことに限定されず、多様な方法により提供できる。位置検出部１８８はスイッチ部１８２ｂの位置が検出できる全ての装置を含むことができる。
【００３６】
また、信号発生器１８８ａ及び信号検出器１８８ｂは多様な位置に配置できる。説明の便宜のために、次に、信号検出器１８８ｂが胴体部分１８２ｃの一側面に配置され、信号発生器１８８ａがスイッチ部１８２ｂに配置された場合について説明する。
【００３７】
図８は、図１に図示された洗濯機１００の制御流れを示すブロック図である。図９は、図１に図示された洗濯機１００の制御順序の一例示的な実施形態を示す斜視図である。
【００３８】
図８及び図９を参照すると、洗濯水は洗濯機１００の作動によりドラム１２２及びタブ１２１に導入される。タブ１２１の内の洗濯水が予め決まった水位に到達する時、ドラム１２２は回転する（Ｓ１２０）。
【００３９】
ドラム１２２の内に収容された洗濯物はドラム１２２の回転に従って回転する。方向変更部１８０は、ドラム１２２の回転に基づいて洗濯水をドラム１２２に噴射する。方向変更部１８０は、ドラム１２２の回転方向によって洗濯水の噴射方向を変更する。
【００４０】
回転検出部１３１は、ドラム１２２が回転する時、ドラム１２２の回転方向を検出する。また、位置検出部１８８はスイッチ部１８２ｂの位置を検出して制御部１７０に伝達する（Ｓ１３０）。
【００４１】
制御部１７０は、スイッチ部１８２ｂを制御して伝えられたスイッチ部１８２ｂの位置に基づいて第１ガイド通路１８３または第２ガイド通路１８４を開閉する（Ｓ１４０）。
【００４２】
信号検出器１８８ａは、胴体部分１８２ｃの多様な位置に配置できる。信号検出器１８８ａは、第１ガイド通路１８３及び第２ガイド通路１８４が結合された位置に配置できる。次に、信号検出器１８８ｂが第１ガイド通路１８３及び第２ガイド通路１８４が結合された位置に配置された場合について説明する。
【００４３】
例えば、ドラム１２２が時計回りに回転すると決定した場合、制御部１７０はスイッチ部１８２ｂが第２ガイド通路１８４を閉鎖するか否かを決定する。第１ガイド通路１９１が開放され、第２ガイド通路１９２がスイッチ部１８２ｂの位置に基づいて閉鎖されたと決定した場合、制御部１７０は洗濯水を循環する循環ポンプ１８５を作動させる。
【００４４】
循環ポンプ１８５が作動する時、洗濯水は供給経路１８１を通じて流れて、胴体部分１８２ｃを通じて第１ガイド通路１８３に供給される。第１ガイド通路１８３に供給される洗濯水は第１スプレーノズル１９１を介してドラム１２２に噴射される。第１スプレーノズル１９１は、ドラム１２２の洗濯物に洗濯水を噴射する。したがって、ドラム１２２の回転に従ってドラム１２２の洗濯物に洗濯水を正確に噴射することができる。
【００４５】
一方、スイッチ部１８２ｂは自重により胴体部分１８２ｃの下側に配置できる。スイッチ部１８２ｂに配置された信号発生器１８８ａから発生した信号は信号検出器１８８ｂにより検出される。前述したように、胴体部分１８２ｃの一側に少なくとも１つの信号検出器１８８ｂが配置される。
【００４６】
信号検出器１８８ｂは、スイッチ部１８２ｂが下側に配置された場合に信号を検出することができない。この際、制御部１７０は循環ポンプ１８５を作動させる。
【００４７】
循環ポンプ１８５が作動する時、スイッチ部１８２ｂは胴体部分１８２ｃの内の洗濯水に従って移動する。スイッチ部１８２ｂが胴体部分１８２ｃの上方に移動する時、信号検出器１８２ｂは制御部１７０に信号を転送する。
【００４８】
循環ポンプ１８５が作動してスイッチ部１８２ｂが第２ガイド通路１８４を閉鎖する時、信号検出器１８２ｂは制御部１７０に信号を転送することができない。一方、スイッチ部１８２ｂが第１ガイド通路１８３を閉鎖する時、信号検出器１８２ｂは制御部１７０に信号を転送する。
【００４９】
信号が転送されない場合、制御部１７０は循環ポンプ１８５を持続的に作動させる。一方、信号が転送される時、制御部１７０は循環ポンプ１８５の作動を中止させる。
【００５０】
循環ポンプ１８５の作動が中止される時、スイッチ部１８２ｂは胴体部分１８２ｃの下方に移動する。予め決まった時間が経過した以後に、制御部１７０は循環ポンプ１８５を作動させる。循環ポンプ１８５が作動すれば、胴体部分１８２ｃの下側に位置したスイッチ部は上方に移動する。
【００５１】
この際、スイッチ部１８２ｂは第１ガイド通路１８３を開放する。また、スイッチ部１８２ｂは第２ガイド通路１８４を閉鎖する。
【００５２】
信号検出器１８８ｂにより信号発生器１８８ａから発生した信号の強度が予め決まった値を超えることを検出する時、信号検出器１８８ｂは信号を制御部１７０に転送する。
【００５３】
制御部１７０は、スイッチ部１８２ｂが信号検出器１８８ｂから転送された信号に基づいて第１ガイド通路１８３を閉鎖するかを決定する。
【００５４】
ドラム１２２が前述したように時計回りに回転する時、スイッチ部１８２ｂが第１ガイド通路１８３を閉鎖することを検出する場合、制御部１７０は循環ポンプ１８５を一時的に中止させる。
【００５５】
循環ポンプ１８５の作動が中止される時、スイッチ部１８２ｂは自重により胴体部分１８２ｃの下方に移動する。
【００５６】
制御部１７０は、予め決まった時間が経過した以後に循環ポンプ１８５がまた作動するように制御する。循環ポンプ１８５が作動する時、スイッチ部１８２ｂは回転しながら胴体部分の上方に移動する。スイッチ部１８２ｂの一方は第２ガイド通路１８４に結合された部分を閉鎖することと予測される。
【００５７】
スイッチ部１８２ｂが第２ガイド通路１８４を閉鎖する時、信号検出器１８８ｂは制御部１７０に信号を転送できないが、その理由は信号検出器１８８ｂが信号発生器１８８ａから分離された予め決まった間隔があるためである。したがって、ドラム１２２が循環ポンプ１８５を作動により時計回りに回転する時、洗濯水はドラム１２２の洗濯物に正確に噴射できる。
【００５８】
一方、循環ポンプ１８５の作動する間、信号検出器１８８ｂが信号発生器１８８ａから発生した信号を検出する時、その信号は制御部１７０に転送される。
【００５９】
信号検出器１８８ｂから信号が制御部１７０に転送されれば、制御部１７０は循環ポンプ１８５の作動を中止せず、続けて作動させる。このように、循環ポンプ１８５は引続き動作し、それによって、洗濯水は第１ガイド通路１８３に供給され、第１スプレーノズル１９１を介してドラム１２２に噴射される。
【００６０】
一方、ドラム１２２が反時計回りに回転する時、洗濯水は前述した方法と同一または類似の方法により第２ガイド通路１８３を通じて流れるように制御される。
【００６１】
ドラム１２２が反時計回りに回転する時、回転検出部１３１はドラム１２２の回転を検出して制御部１７０に転送する。
【００６２】
制御部１７０は信号発生器１８８ａから検出されるスイッチ部１８２ｂの位置に基づいて第２ガイド通路１８４が開放されるか否かを検出する。信号検出器１８８ｂはスイッチ部１８２ｂが第１ガイド通路１８３を閉鎖する時、制御部１７０に信号を転送する。
【００６３】
転送された信号に基づいて制御部１７０はスイッチ部１８２ｂが第２ガイド通路１８４を閉鎖するか否かを決定する。スイッチ部１８２ｂが第１ガイド通路１８３を閉鎖することと決定した場合、制御部１７０は第２ガイド通路１８４を通じて洗濯水を循環する循環ポンプ１８５を持続的に作動させる。
【００６４】
信号が検出できない場合、制御部１７０は循環ポンプ１８５を作動させる。循環ポンプ１８５が作動すれば、信号検出器１８８ｂは信号を検出する。
【００６５】
信号が検出される時、信号検出器１８８ｂはその信号を制御部１７０に転送する。制御部１７０はスイッチ部１８２ｂが第１ガイド通路１８３を閉鎖する信号に基づいて決定する。
【００６６】
スイッチ部１８２ｂが第１ガイド通路１８３を閉鎖することを検出する場合、制御部１７０は循環ポンプ１８５を持続的に作動させる。
【００６７】
一方、信号が持続的に検出されない場合、制御部１７０はスイッチ部１８２ｂが第２ガイド通路１８４を閉鎖するか否かを決定する。
【００６８】
スイッチ部１８２ｂが第２ガイド通路１８４を閉鎖することを検出する場合、制御部１７０は循環ポンプ１８５の作動が中止されるように制御する。循環ポンプ１８５が一時的に中止される時、胴体部分１８２ｃの内の洗濯水の水圧は減少する。これによって、胴体部分１８２ｃの内部に配置されたスイッチ部１８２ｂは胴体部分１８２ｃの下方に移動する。
【００６９】
予め決まった時間が経過した以後に、制御部１７０が循環ポンプ１８５が作動されるように制御する時、洗濯水はまた胴体部分１８２ｃに流れる。この際、胴体部分１８２ｃに流れる洗濯水は水圧をスイッチ部１８２ｂに適用して、スイッチ部１８２ｂは回転と同時に胴体部分１８２ｃの上方に移動することができる。
【００７０】
スイッチ部１８２ｂは第１ガイド通路１８３を閉鎖し、第２ガイド通路１８４を開放する。したがって、ドラム１２２が反時計回りに回転する時、第２ガイド通路１８４は開放され、洗濯水はドラム１２２の洗濯物に噴射される。
【００７１】
一方、回転方向と噴射方向が前述したように互いに異なる場合、出力部は警告メッセージを外部の使用者に出力する。
【００７２】
サウンド出力部は、アラーム、音声、ブザーなどを出力するので、外部の使用者は認識することができる。
【００７３】
表示部１１７は、画像、テキストなどを出力するので、外部の使用者は認識することができる。
【００７４】
したがって、使用者は回転方向と異なる方向に噴射される洗濯水を外部から容易に認識することができる。
【００７５】
第１ガイド通路１８３を通じて流れる洗濯水は、第１スプレーノズル１９１を介してドラム１２２に噴射される。また、第２ガイド通路１８４を通じて流れる洗濯水は、第２スプレーノズル１９２を介してドラム１２２に噴射される。
【００７６】
この際、第１スプレーノズル１９１及び第２スプレーノズル１９２は、予め決まった角度を形成するように配置される。第１スプレーノズル１９１は、第１ガイド通路１８３から供給される洗濯水をドラム１２２の一方向に噴射する。また、第２スプレーノズル１９２は、第２ガイド通路１８４から供給される洗濯水を第１スプレーノズル１９１から噴射する方向と異なる方向に噴射する。
【００７７】
例えば、第１スプレーノズル１９１はドラム１２２が時計回りに回転する時、ドラム１２２の内の洗濯物に洗濯水を噴射する。また、第２スプレーノズル１９２はドラム１２２が反時計回りに回転する時、ドラム１２２の内の洗濯物に洗濯水を噴射する。
【００７８】
また、第１スプレーノズル１９１及び第２スプレーノズル１９２は、多様な位置に配置できる。第１スプレーノズル１９１及び第２スプレーノズル１９２は、キャビネット１１０の内部に配置されて洗濯水をドラム１２２に噴射することができる。第１スプレーノズル１９１及び第２スプレーノズル１９２は、カバー１１２とタブ１２１との間に配置されたガスケット１１９に配置できる。
【００７９】
本発明に係る洗濯機１００は前述した内容に制限されず、本技術分野に熟練した者であればその範囲が拡張できることが分かる。また、前述した例示的な実施形態は単に本発明に従う具現されたもののうちの１つに過ぎず、第１スプレーノズル１９１及び第２スプレーノズル１９２は、ドラム１２２の回転に基づいてドラム１２２に直接洗濯水を噴射する全ての装置及び方法を含むことができる。
【００８０】
信号検出器１８８ｂは、胴体部分１８２ｃの一方に複数配置できる。
【００８１】
複数の信号検出器１８８ｂは、胴体部分１８２ｃ及び第１ガイド通路１８３が結合された位置に配置された第１信号検出器（図示せず）と、胴体部分１８２ｃ及び第２ガイド通路１８４が結合された位置に配置された第２信号検出器（図示せず）を含むことができる。
【００８２】
信号検出器１８８ｂが胴体部分１８２ｃの一方に複数配置された場合、洗濯水は前述したものと同一または類似の方法によりドラム１２２に供給される。
【００８３】
例えば、ドラム１２２が時計回りに回転する時、循環ポンプ１８５は作動する。循環ポンプ１８５が作動すれば、位置検出部１８８はスイッチ部１８２ｂの位置を検出する。
【００８４】
スイッチ部１８２ｂに配置された信号発生器１８８ａから発生した信号に基づいて、第１信号検出器または第２信号検出器はスイッチ１８２ｂの位置を検出する。
【００８５】
第１信号検出器がスイッチ部１８２ｂの信号を検出する時、制御部１７０はスイッチ部１８２ｂが第１ガイド通路１８３を閉鎖するかを決定する。制御部１７０は循環ポンプ１８５の作動を制御するため、スイッチ部１８２ｂは第２ガイド通路１８４を閉鎖することができる。
【００８６】
スイッチ部１８２ｂが第２ガイド通路１８４を閉鎖することを検出する場合、制御部１７０は循環ポンプ１８５を持続的に作動させる。したがって、洗濯水はドラム１２２の回転に基づいて第１ガイド通路１８３を通じてドラム１２２に噴射される。
【００８７】
ドラム１２２が反時計回りに回転する時、位置検出部１８８はスイッチ部１８２ｂの位置を検出する。ここで、第１信号検出器または第２信号検出器はスイッチ部１８２ｂの位置を検出する。
【００８８】
第１信号検出器が信号を検出する時、制御部１７０はスイッチ部１８２ｂが第１ガイド通路１８３を閉鎖するかを決定する。したがって、制御部１７０は循環ポンプ１８５を持続的に作動させる。
【００８９】
一方、第２信号検出器が信号を検出する時、制御部１７０はスイッチ部１８２ｂが第２ガイド通路１８４を閉鎖するかを決定する。
【００９０】
制御部１７０は循環ポンプ１８５の作動を中止させる。予め決まった時間が経過した以後に、制御部１７０は循環ポンプ１８５をまた作動させる。循環ポンプ１８５が作動する時、スイッチ部１８２ｂは回転により胴体部分１８２ｃの上方に移動する。
【００９１】
スイッチ部１８２ｂは第２ガイド通路１８４を開放し、第１ガイド通路１８３を閉鎖する。したがって、ドラム１２２が反時計回りに回転する時、洗濯水は第２ガイド通路１８４を通じて噴射される。
【００９２】
一方、スイッチ部１８２ｂが胴体部分１８２ｃの下側に配置される場合に、信号が検出されない。ここで、制御部１７０は循環ポンプ１８５を作動させる。
【００９３】
スイッチ部１８２ｂは胴体部分１８２ｃの上方に移動して第１ガイド通路１８３または第２ガイド通路１８４を閉鎖する。第１信号検出器または第２信号検出器は信号を検出して制御部１７０に転送する。
【００９４】
第１信号検出器が信号を検出する時、制御部１７０はスイッチ部１８２ｂが第１ガイド通路１８３を閉鎖するかを決定する。したがって、制御部１７０は前述した方法と同一または類似の方法により循環ポンプ１８５を制御する。
【００９５】
第２信号検出器が信号を検出する時、制御部１７０はスイッチ部１８２ｂが第２ガイド通路１８４を閉鎖するかを決定する。したがって、制御部１７０は前述した方法と同一または類似の方法により循環ポンプ１８５を制御する。
【００９６】
したがって、本発明に係る洗濯機１００は、ドラム１２２の回転方向に基づいてドラム１２２の洗濯物に洗濯水を噴射することができる。また、洗濯水は平面の洗濯物に噴射されるので、洗濯水は洗濯物に早く供給できる。
【００９７】
一方、回転方向と噴射方向とが前述したように互いに異なる場合、出力部は警告メッセージを外部の使用者に出力する。
【００９８】
サウンド出力部は、アラーム、音声、ブザーなどを出力するので、外部の使用者は認識することができる。
【００９９】
表示部１１７は、画像、テキストなどを出力するので、外部の使用者は認識することができる。
【０１００】
したがって、使用者は回転方向と異なる方向に噴射される洗濯水を外部から容易に認識することができる。
【０１０１】
図１０は、図１に図示された洗濯機１００の洗濯水が循環及び噴射される第２例示的な実施形態を示す概念図である。図１１は、図１０に図示されたドラム２２２の噴射方向及び洗濯水の噴射方向を示す概念図である。図１２は、図１０に図示された方向変更部２８０を示す斜視図である。次の説明において、前述した例示的な実施形態に記載された図面の参照符号と同一な参照符号は同一な部材を表す。
【０１０２】
図１０及び図１２を参照すると、方向変更部２８０はドラム２２２の回転に基づいて洗濯水をドラムに噴射する方向を変更させる。したがって、ドラム２２２の回転に従ってドラム２２２の洗濯物に洗濯水を正確に噴射することができる。
【０１０３】
方向変更部２８０は、スプレーノズル２９１の一方に配置されたスタート−アップモータ２８２を含んでスプレーノズル２９１の方向を変更することができる。
【０１０４】
方向変更部２８０は、タブ２２１から洗濯水を案内する供給経路２８１、供給経路２８１に配置されて洗濯水の水圧を変更する水圧変更部２８５、及び変更された水圧によってスプレーノズル２９１の噴射方向を変更させるスタート−アップモータ２８２を含むことができる。水圧変更部２８５は、循環ポンプ２８５を含むことができる。
【０１０５】
ドラム１２２が前述したように回転する時、循環ポンプ２８５は作動して洗濯水を循環させる。
【０１０６】
図１１を参照すると、ドラム１２２が回転する時、回転検出部１３１はドラム２２２の回転を検出する。検出された回転に基づいて、制御部１７０はスタート−アップモータ２８２を制御してドラム２２２の洗濯物に洗濯水を噴射するようにする。
【０１０７】
図１１Ａを参照すると、ドラム２２２が回転する時、制御部１７はスタート−アップモータ２８２を作動させる。ドラム２２２が時計回りに回転する時、制御部１７０はスタート−アップモータ２８２を制御してスプレーノズル２９１が一方向に配置されるようにする。
【０１０８】
図１１Ｂを参照すると、ドラム２２２が反時計回りに回転する時、制御部１７０はスタート−アップモータ２８２を制御してスプレーノズル２９１が異なる方向に配置されるようにする。
【０１０９】
スプレーノズル２９１は、ドラム２２２の回転により洗濯物に洗濯水を噴射する。したがって、ドラム２２２の回転に従って洗濯物に洗濯水が正確に噴射される。さらに、洗濯水が洗濯物に高速で供給されるため、洗濯性能は改善され、洗濯時間は短縮される。
【０１１０】
図１３は、図１に図示された洗濯機１００の洗濯水が循環及び噴射される第３例示的な実施形態を示す概念図である。図１４は、図１３に図示されたドラム３２２の噴射方向及び洗濯水の噴射方向を示す概念図である。図１５は、図１３に図示された方向変更部３８０を示す斜視図である。次の説明において、前述した例示的な実施形態に記載された図面の参照符号と同一な参照符号は同一な部材を表す。
【０１１１】
図１３及び図１５を参照すると、方向変更部３８０は外部から供給されてドラム３２２に噴射される洗濯水の噴射方向を変更させることができる。
【０１１２】
方向変更部３８０は、外部から洗濯水を供給する供給経路３８１、供給経路３８１で洗濯水の水圧を制御する洗濯水供給装置３２５、及び供給された洗濯水を噴射する方向を変更する方向チェンジャー３８６を含む。
【０１１３】
洗濯水供給装置３２５は、供給経路３８１を制御するポンプ及びソレノイドバルブを含むことができる。
【０１１４】
方向変更部３８６は、供給された洗濯水を分配するディスペンサー３８２を含む。ディスペンサー３８２は、外部から供給される洗濯水を複数のガイド通路３８３及び３８４に分配する。
【０１１５】
ディスペンサー３８２は、洗濯水を導入するための胴体部分（図示せず）と、胴体部分の内部に配置されて複数のガイド通路３８３及び３８４を選択的に開閉するスイッチ部（図示せず）を含む。
【０１１６】
洗濯機３００が作動する時、洗濯水は外部から導入される。ディスペンサー３８２は、洗濯水を第１ガイド通路３８３または第２ガイド通路３８４に分配する。ディスペンサー３８２は、洗濯水を前述したように水圧により分配する。
【０１１７】
洗濯水供給装置３２５は、供給経路３８１を通じて流れる洗濯水の水圧を変更する。洗濯水供給装置３２５がポンプを含む場合、制御部１７０はポンプを作動させて洗濯水の水圧を制御する。制御部１７０は、予め決まった時間に電流をソレノイドバルブに印加して洗濯水の水圧を制御することができる。
【０１１８】
図１４を参照すると、制御部１７０はドラム３２２の回転方向によって洗濯水供給装置３２５を制御する。制御部１７０は、ドラム３２２の回転方向に基づいて図５乃至図９に図示された方法と同一または類似の方法により制御する。
【０１１９】
図１４Ａを参照すると、ドラム３２２が時計回りに回転する時、洗濯水は第１スプレーノズル２９１を介して噴射される。
【０１２０】
図１４Ｂを参照すると、ドラム３２２が反時計回りに回転する時、洗濯水は第２スプレーノズル３９２を介して噴射される。
【０１２１】
したがって、本発明に係る洗濯機１００は、ドラム３２２の回転に基づいて洗濯水を噴射することができる。洗濯水がドラム３２２の回転に従って噴射されるため、洗濯物に洗濯水が正確で、かつ高速で噴射できる。
【０１２２】
一方、回転方向と噴射方向が前述したように互いに異なる場合、出力部は警告メッセージを外部の使用者に出力する。
【０１２３】
サウンド出力部は、アラーム、音声、ブザーなどを出力するので、外部の使用者は認識することができる。
【０１２４】
表示部１１７は、画像、テキストなどを出力するので、外部の使用者は認識することができる。
【０１２５】
したがって、使用者は回転方向と異なる方向に噴射される洗濯水を外部から容易に認識することができる。
【０１２６】
図１６は、図１に図示された洗濯機１００の洗濯水が循環及び噴射される第４例示的な実施形態を示す概念図である。図１７は、図１６に図示されたドラム４２２の噴射方向及び洗濯水の噴射方向を示す概念図である。図１８は、図１６に図示された方向変更部４８０を示す斜視図である。次の説明において、前述した例示的な実施形態に記載されたものと同一な図面の参照符号は同一な部材を表す。
【０１２７】
図１６及び図１８を参照すると、方向変更部４８０は、ドラム４２２の回転に基づいて外部から供給される洗濯水を噴射することができる。方向変更部４８０は、ドラム４２２が回転する時、ドラム４２２の洗濯物に洗濯水を噴射する。
【０１２８】
方向変更部４８０は、外部から洗濯水を供給する供給経路４８１、及び供給経路４８１で洗濯水を制御する洗濯水供給装置４２５を含む。また、方向変更部４８０は、スプレーノズル４９１の一方に配置されたスタート−アップモータ４８２を含んでスプレーノズル４９１の方向を変更することができる。
【０１２９】
洗濯機４００が作動する時、洗濯水は外部から供給される。洗濯水が供給されれば、回転検出部１３１はドラム４２２の回転を検出して制御部１７０に転送する。制御部１７０は、ドラム４２２の回転に基づいてスタート−アップモータ４８２を制御する。
【０１３０】
図１７を参照すると、スタート−アップモータ４８２は、ドラム４２２の回転に基づいてスプレーノズル４９１の方向を変更させる。スタート−アップモータ４８２は、スプレーノズル４９１の方向を変更させてドラム４２２の洗濯物に洗濯水を噴射するようにする。
【０１３１】
図１７Ａを参照すると、ドラム４２２が時計回りに回転する時、スプレーノズルは一方向に洗濯水を噴射する。したがって、洗濯水はドラム４２２の洗濯物に正確に噴射できる。
【０１３２】
図１７Ｂを参照すると、ドラム４２２が反時計回りに回転する時、スプレーノズルは、図１７Ａに図示された方向と異なる方向に洗濯水を噴射する。したがって、洗濯水はドラム４２２の洗濯物に正確に噴射できる。
【０１３３】
ドラム４２２が回転する時、制御部１７０は図１０乃至図１２で説明した内容と同一または類似の方法によりスタート−アップモータ４９１を制御する。
【０１３４】
したがって、スプレーノズル２９１の洗濯水噴射方向は、ドラム４２２の回転に従って変更される。スプレーノズル４９１から噴射される洗濯水はドラム４２２の洗濯物に正確で、かつ高速で噴射される。
【０１３５】
図１９は、図１に図示された表示部１１７の一例示的な実施形態を示す斜視図である。
【０１３６】
図１９を参照すると、使用者は入力部１１８を通じて外部信号を入力して循環ポンプ１８５を制御することができる。外部信号が入力される時、洗濯水は前述した内容と同一または類似の方式によりドラム１２２に噴射される。
【０１３７】
使用者は、入力部１１８を通じて洗濯水がドラム１２２の移動に従って噴射されるように制御することができる。即ち、使用者は入力部１１８を通じて外部信号を入力してドラム１２２が早く一回回転または往復回転に従って異に洗濯水が噴射されるように制御することができる。洗濯水を制御する方法は前述した方式と同一または類似の方式により実行される。
【０１３８】
使用者がドラム１２２の一方に洗濯水を噴射するように外部信号を入力する時、表示部１１７はドラム１２２の移動及び洗濯水噴射モデルを表示する。
【０１３９】
ドラム１２２は各々のサイクルに従って多様な方向に移動を遂行する。移動が実行される時、表示部１１７は移動に対応する移動表示部分１１７ａを通じてドラム１２２の移動を表示する。このような移動は、回転方向、回転速度などのように、多様に表示できる。
【０１４０】
表示部１１７において、ドラム１２２に洗濯水を噴射する方向を表す洗濯水表示部分１１７ｂは、移動表示部分１１７ａの一方に表示される。即ち、前述したように、ドラム１２２の回転方向によって洗濯水の方向は使用者により入力された外部信号によって表示部１１７に表示される。したがって、使用者はドラム１２２の回転及びドラム１２２の移動に従って洗濯水の噴射方向を容易に確認することができる。
【図１】
2012517854.tif 000003
【図２】
2012517854.tif 000004
【図３】
2012517854.tif 000005
【図４（Ａ）】
2012517854.tif 000006
【図４（Ｂ）】
2012517854.tif 000007
【図５】
2012517854.tif 000008
【図６】
2012517854.tif 000009
【図７】
2012517854.tif 000010
【図８】
2012517854.tif 000011
【図９】
2012517854.tif 000012
【図１０】
2012517854.tif 000013
【図１１（Ａ）】
2012517854.tif 000014
【図１１（Ｂ）】
2012517854.tif 000015
【図１２】
2012517854.tif 000016
【図１３】
2012517854.tif 000017
【図１４（Ａ）】
2012517854.tif 000018
【図１４（Ｂ）】
2012517854.tif 000019
【図１５】
2012517854.tif 000020
【図１６】
2012517854.tif 000021
【図１７（Ａ）】
2012517854.tif 000022
【図１７（Ｂ）】
2012517854.tif 000023
【図１８】
2012517854.tif 000024
【図１９】
2012517854.tif 000025
【国際調査報告】
2012517854.tif 000026
2012517854.tif 000027